(57)【特許請求の範囲】
【請求項１】
使用者の頭部に装着可能な眼鏡フレーム形状の支持フレームにウェアラブル機器を支持するための支持構造であって、
前記支持フレームは、前記頭部への装着状態において左右の側頭部側に位置する左右のテンプル部と、左右の前記テンプル部に設けられた左右の機器接続部とを有し、
前記ウェアラブル機器は、棒状のフレキシブル支持部を介して、少なくとも一方の前記機器接続部に選択的に接続される、
ことを特徴とするウェアラブル機器の支持構造。
【請求項２】
左右の前記機器接続部は、前記支持フレームの前記頭部への装着状態において、側面視では前記テンプル部の下方に位置し、上面視では前記テンプル部と重なりを持つように位置する、
ことを特徴とする請求項１に記載のウェアラブル機器の支持構造。
【請求項３】
前記フレキシブル支持部は、前記テンプル部に対して傾斜して前記機器接続部に接続される、
ことを特徴とする請求項１または２に記載のウェアラブル機器の支持構造。
【請求項４】
前記フレキシブル支持部は、前記支持フレームの前記頭部への装着状態における側面視において、上下方向の湾曲変形領域内に前記使用者の眼球中心が位置する、
ことを特徴とする請求項１〜３のいずれか一項に記載のウェアラブル機器の支持構造。
【請求項５】
前記フレキシブル支持部は、直線状の姿勢にあるとき、前記支持フレームの前記頭部への装着状態における側面視において、前記使用者のほぼ眼球中心と重なる、
ことを特徴とする請求項１〜４のいずれか一項に記載のウェアラブル機器の支持構造。
【請求項６】
前記フレキシブル支持部は、長さが３０ｍｍ以上、７０ｍｍ以下である、
ことを特徴とする請求項１〜５のいずれか一項に記載のウェアラブル機器の支持構造。
【請求項７】
前記テンプル部は保持部を有し、
前記保持部には着脱自在に取付部材が装着され、
前記取付部材が前記機器接続部を有する、
ことを特徴とする請求項１〜６のいずれか一項に記載のウェアラブル機器の支持構造。
【請求項８】
前記取付部材は、前記支持フレームの前記頭部への装着状態における側面視において、線対称形状を有し、該線対称形状の対称軸が前記テンプル部に対して傾斜して、前記保持部に着脱自在に装着される、
ことを特徴とする請求項７に記載のウェアラブル機器の支持構造。
【請求項９】
前記取付部材は、前記支持フレームの前記頭部への装着状態における側面視において、前記対称軸と直交する方向の寸法が、後方が小さく、前方が大きい形状であり、
前記機器接続部は、前記取付部材の前方側に設けられている、
ことを特徴とする請求項７または８に記載のウェアラブル機器の支持構造。
【請求項１０】
前記保持部または前記取付部材の少なくとも一方は、少なくとも一部が前記取付部材を前記保持部に着脱する際に弾性変形可能な弾性部材からなる、
ことを特徴とする請求項７〜９のいずれか一項に記載のウェアラブル機器の支持構造。
【請求項１１】
前記保持部は、前記支持フレームの前記頭部への装着状態における側面視において、前方側が開口したＶ字形状からなり、
前記取付部材は、前記保持部に係合する楔形状からなる、
ことを特徴とする請求項１０に記載のウェアラブル機器の支持構造。
【請求項１２】
前記保持部は、Ｖ字形状の一方の辺が前記テンプル部からなり、他方の辺が該テンプル部から傾斜して突出する弾性変形可能な傾斜片からなる、
ことを特徴とする請求項１１に記載のウェアラブル機器の支持構造。
【請求項１３】
前記保持部は、前記テンプル部側に突部または凹部を有し、
前記取付部材は、前記テンプル部側の前記突部または凹部に係合する凹部または突部を有する、
ことを特徴とする請求項１２に記載のウェアラブル機器の支持構造。
【発明の詳細な説明】
【技術分野】
【０００１】
本発明は、ウェアラブル機器を頭部に装着可能な支持フレームに支持するための支持構造に関するものである。
【背景技術】
【０００２】
近年、頭部装着型表示装置等のウェアラブル機器を、頭部に装着可能な眼鏡フレーム等の支持フレームに取り付けて利用することが知られている（例えば、特許文献１参照）。このようなウェアラブル機器の使用態様では、一般に、支持フレームとウェアラブル機器との間に、回転機構やスライド機構等の調整機構を設けてことにより、様々な装着者の顔形状に合わせて、ウェアラブル機器の位置調整を可能としている。
【先行技術文献】
【特許文献】
【０００３】
【特許文献１】特開２０１０−９１７４８号公報
【発明の概要】
【発明が解決しようとする課題】
【０００４】
しかしながら、特許文献１に開示のように、ボールジョイント等の回転機構を設けると、調整機構が大きく嵩張って、外観が損なわれ、見栄えが悪くなる。特に、支持フレームの外側に回転機構を設けた場合は、回転機構が支持フレームの外側に嵩張ることになるため、見栄えがより悪くなる。
【０００５】
また、ウェアラブル機器が表示装置の場合は、表示装置の光軸を眼球に合わせる瞳位置調整と、観察位置を所望の位置に合わせる表示位置調整とが必要となる。そのためには、特許文献１に開示のように、眼鏡フレーム側と表示装置側とにボールジョイント等の回転機構を設ける等、通常、２箇所以上に位置調整機構を設ける必要があり、装置の大型化を招く要因となる。
【０００６】
したがって、かかる点に鑑みてなされた本発明の目的は、全体を小型にでき、所望の位置調整を可能としたウェアラブル機器の支持構造を提供することにある。
【課題を解決するための手段】
【０００７】
上記目的を達成する本発明に係るウェアラブル機器の支持構造の要旨構成は、以下の通りである。
（１）使用者の頭部に装着可能な眼鏡フレーム形状の支持フレームにウェアラブル機器を支持するための支持構造であって、
前記支持フレームは、前記頭部への装着状態において左右の側頭部側に位置する左右のテンプル部と、左右の前記テンプル部に設けられた左右の機器接続部とを有し、
前記ウェアラブル機器は、棒状のフレキシブル支持部を介して、少なくとも一方の前記機器接続部に選択的に接続される、
ことを特徴とするものである。
【０００８】
（２）上記（１）に記載のウェアラブル機器の支持構造において、
左右の前記機器接続部は、前記支持フレームの前記頭部への装着状態において、側面視では前記テンプル部の下方に位置し、上面視では前記テンプル部と重なりを持つように位置する、
ことを特徴とするものである。
【０００９】
（３）上記（１）または（２）に記載のウェアラブル機器の支持構造において、
前記フレキシブル支持部は、前記テンプル部に対して傾斜して前記機器接続部に接続される、
ことを特徴とするものである。
【００１０】
（４）上記（１）〜（３）のいずれかに記載のウェアラブル機器の支持構造において、
前記フレキシブル支持部は、前記支持フレームの前記頭部への装着状態における側面視において、上下方向の湾曲変形領域内に前記使用者の眼球中心が位置する、
ことを特徴とするものである。
【００１１】
（５）上記（１）〜（４）のいずれかに記載のウェアラブル機器の支持構造において、
前記フレキシブル支持部は、直線状の姿勢にあるとき、前記支持フレームの前記頭部への装着状態における側面視において、前記使用者のほぼ眼球中心と重なる、
ことを特徴とするものである。
【００１２】
（６）上記（１）〜（５）のいずれかに記載のウェアラブル機器の支持構造において、
前記フレキシブル支持部は、長さが３０ｍｍ以上、７０ｍｍ以下である、
ことを特徴とするものである。
【００１３】
（７）上記（１）〜（６）のいずれかに記載のウェアラブル機器の支持構造において、
前記テンプル部は保持部を有し、
前記保持部には着脱自在に取付部材が装着され、
前記取付部材が前記機器接続部を有する、
ことを特徴とするものである。
【００１４】
（８）上記（７）に記載のウェアラブル機器の支持構造において、
前記取付部材は、前記支持フレームの前記頭部への装着状態における側面視において、線対称形状を有し、該線対称形状の対称軸が前記テンプル部に対して傾斜して、前記保持部に着脱自在に装着される、
ことを特徴とするものである。
【００１５】
（９）上記（７）または（８）に記載のウェアラブル機器の支持構造において、
前記取付部材は、前記支持フレームの前記頭部への装着状態における側面視において、前記対称軸と直交する方向の寸法が、後方が小さく、前方が大きい形状であり、
前記機器接続部は、前記取付部材の前方側に設けられている、
ことを特徴とするものである。
【００１６】
（１０）上記（７）〜（９）のいずれかに記載のウェアラブル機器の支持構造において、
前記保持部または前記取付部材の少なくとも一方は、少なくとも一部が前記取付部材を前記保持部に着脱する際に弾性変形可能な弾性部材からなる、
ことを特徴とするものである。
【００１７】
（１１）上記（１０）に記載のウェアラブル機器の支持構造において、
前記保持部は、前記支持フレームの前記頭部への装着状態における側面視において、前方側が開口したＶ字形状からなり、
前記取付部材は、前記保持部に係合する楔形状からなる、
ことを特徴とするものである。
【００１８】
（１２）上記（１１）に記載のウェアラブル機器の支持構造において、
前記保持部は、Ｖ字形状の一方の辺が前記テンプル部からなり、他方の辺が該テンプル部から傾斜して突出する弾性変形可能な傾斜片からなる、
ことを特徴とするものである。
【００１９】
（１３）上記（１２）に記載のウェアラブル機器の支持構造において、
前記保持部は、前記テンプル部側に突部または凹部を有し、
前記取付部材は、前記テンプル部側の前記突部または凹部に係合する凹部または突部を有する、
ことを特徴とするものである。
【発明の効果】
【００２０】
本発明によれば、全体を小型にでき、所望の位置調整を可能としたウェアラブル機器の支持構造を実現することができる。
【図面の簡単な説明】
【００２１】
【図１】本発明の第１実施の形態に係るウェアラブル機器の支持構造を説明するための斜視図である。
【図２】図１のフレキシブル支持部の一例の構成を示す図である。
【図３】図１のフレキシブル支持部の他の例の構成を示す図である。
【図４】図１のフレキシブル支持部の機器接続部２５０Ｒへの装着状態を説明するための図である。
【図５】図１のフレキシブル支持部による表示位置のシフト動作を説明するための図である。
【図６】図１のフレキシブル支持部の可動範囲を説明するための図である。
【図７】図１のフレキシブル支持部が左右に交換装着された場合を示す図である。
【図８】図１のフレキシブル支持部により撮像装置が支持された場合を示す図である。
【図９】本発明の第２実施の形態に係るウェアラブル機器の支持構造を説明するための斜視図である。
【図１０】図９の支持構造を示す側面図である。
【図１１】図９の取付部材の構成を示す図である。
【図１２】図９の取付部材の装着状態における対称軸と使用者の眼球との位置関係を説明するための図である。
【図１３】図９の支持構造によりウェアラブル機器である表示装置が装着された場合を示す図である。
【図１４】図９の支持構造によりウェアラブル機器である撮像装置が装着された場合を示す図である。
【図１５】図９の支持構造によりウェアラブル機器が左右に交換装着された場合を示す図である。
【図１６】本発明の第３実施の形態に係るウェアラブル機器の支持構造の構成を示す側面図である。
【図１７】図１６の取付部材の構成を示す図である。
【図１８】本発明の第４実施の形態に係るウェアラブル機器の支持構造の構成を示す側面図である。
【図１９】図１８の取付部材の構成を示す図である。
【図２０】図１８の支持構造の部分上面図である。
【図２１】本発明の第５実施の形態に係るウェアラブル機器の支持構造の構成を示す側面図である。
【図２２】図２１の取付部材の構成を示す図である。
【図２３】図２１の支持構造の部分上面図である。
【発明を実施するための形態】
【００２２】
以下、本発明の実施の形態について、図を参照して説明する。
【００２３】
（第１実施の形態）
図１〜図８は、本発明の第１実施の形態に係るウェアラブル機器の支持構造を示すものである。図１は、支持構造の斜視図を示すもので、支持フレーム１００は、眼鏡フレーム形状からなり、使用者の頭部への装着状態において、顔面側に位置するフロント部１１０と、該フロント部１１０の左右に接続されて左右の側頭部側に位置する左右のテンプル部１２０Ｌ，１２０Ｒと、テンプル部１２０Ｌ，１２０Ｒの後端部に形成された左右のモダン部１３０Ｌ，１３０Ｒと、を有する。フロント部１１０には、左右の眼鏡レンズ１４０Ｌ，１４０Ｒが装着される。なお、眼鏡レンズ１４０Ｌ，１４０Ｒは、レンズ機能を有しない単なる光透過部材の場合もある。
【００２４】
左右のテンプル部１２０Ｌ，１２０Ｒの下側には、モダン部１３０Ｌ，１３０Ｒ側に左右の機器接続部２５０Ｌ，２５０Ｒが設けられ、その少なくとも一方の機器接続部に、ウェアラブル機器である表示装置３００がフレキシブル支持部４００を介して接続される。図１は、右側の機器接続部２５０Ｒに、フレキシブル支持部４００を介して表示装置３００が接続された場合を例示している。
【００２５】
左右の機器接続部２５０Ｌ，２５０Ｒは、支持フレーム１００が使用者の頭部に装着された側面視において、テンプル部１２０Ｌ，１２０Ｒの下方に位置し、上面視ではテンプル部１２０Ｌ，１２０Ｒと重なりを持つように位置している。機器接続部２５０Ｌ，２５０Ｒは、例えば、穴部からなり、この穴部に棒状のフレキシブル支持部４００が挿脱可能に装着されて、該フレキシブル支持部４００を介して表示装置３００が支持フレーム１００に支持されるようになっている。
【００２６】
図２及び図３は、フレキシブル支持部４００の二つの例を示すものである。図２に示すフレキシブル支持部４００は、芯線型のもので、図２（ａ）に正面図を、図２（ｂ）に側面（端面）図を示すように、金属素材の芯線４１１に柔軟な樹脂素材４１２をコートしたものである。芯線４１１は、好ましくは、直径０．５ｍｍ〜１．２ｍｍ程度で、容易に屈曲させることができ、その形状を保持させることができるものとする。
【００２７】
また、図３に示すフレキシブル支持部４００は、螺旋チューブ型のもので、図３（ａ）に縦断面図を、図３（ｂ）に側面（端面）図を示すように、断面が円形の螺旋状の金属線４２１と、断面が楔型の螺旋状の金属線４２２とにより２重螺旋状に形成したものである。このフレキシブル支持部４００は、螺旋形状の金属線であるため、容易に屈曲させることができ、断面形状の異なる金属線４２１，４２２による摩擦により、曲げた状態の形状が固定される。なお、金属線４２１，４２２は、材質の異なるものを組み合わせるのが好ましい。
【００２８】
フレキシブル支持部４００は、機器接続部２５０Ｒへの装着状態において、直線状の姿勢にあるとき、テンプル部１２０Ｒの延在方向に対して前下がりに傾斜して配置される。そして、図４（ａ）に示す使用者への支持フレーム１００の装着状態における側面視において、フレキシブル支持部４００は、使用者の眼球Ｅのほぼ中心（眼球中心）Ｅｏと重なる。さらに、図４（ｂ）に示す上面視においては、テンプル部１２０Ｒと重なりを持つように下側に位置し、その状態で、表示装置３００の接眼光学系３００ａの光軸Ｏが、眼球Ｅの正面方向の視軸とほぼ重なって位置する。これにより、表示装置３００による虚像の表示位置を、正面よりやや下側に位置させることができる。
【００２９】
このように、本実施の形態に係る支持構造においては、フレキシブル支持部４００が、テンプル部１２０Ｒに対して前下がりに傾斜して、テンプル部１２０Ｒの下側に配置された機器接続部２５０Ｒに接続される。これにより、テンプル部１２０Ｒに干渉することなく、左右または上下の調整を行うことが可能となる。
【００３０】
特に、ウェアラブル機器が図示のように表示装置３００の場合、モバイルでの使用を考慮すると、正面視界を確保しながら、表示画面を正面視界の邪魔にならない視野の周辺に配置できることが好ましく、特に、視野の左右の外側や視野の下方へ表示させることで、見やすさと視界確保とを両立することができて好ましい。本実施の形態においては、表示装置３００を、フレキシブル支持部４００を介して機器接続部２５０Ｒに接続しているので、表示装置３００の表示位置を直感的に自由に調整することができ、所望の位置調整が容易に可能となる。したがって、例えば、図４（ｂ）に示す状態から、図５（ａ）に示すように、フレキシブル支持部４００を外側に曲げることで、表示装置３００による虚像の表示位置を右方向に容易にシフトさせることができる。
【００３１】
また、図４（ｂ）に示す上面視において、フレキシブル支持部４００がテンプル部１２０Ｒと重なりを持つように位置することから、フレキシブル支持部４００や表示装置３００が支持フレーム１００の外側に大きく張り出すことがない。したがって、全体を小型にでき、外観上も好ましい。
【００３２】
さらに、フレキシブル支持部４００は、直線状の姿勢にあるとき、図４（ａ）に示したように、側面視において使用者のほぼ眼球中心Ｅｏと重なるように配置されるので、表示装置３００の表示位置をシフトする際にも、最小の可動で済み、フレキシブル支持部４００への負荷を小さくすることができる。したがって、例えば、図４（ａ）に示す状態から、図５（ｂ）に示すように、フレキシブル支持部４００を下側に曲げることで、表示装置３００による虚像の表示位置を下方に容易にシフトさせることができる。
【００３３】
ここで、フレキシブル支持部４００は、図４（ａ）に示したように、必ずしも使用者のほぼ眼球中心Ｅｏと重なるように配置する必要はなく、上下方向の湾曲変形領域内に眼球中心Ｅｏが位置するように配置すればよい。これにより、表示装置３００による虚像表示画面の表示位置を、微少な可動で使用者の眼球位置に合わせることができ、また、表示位置を上側または下側に配置して使用する際に、どちら側の位置にも調整しやすいという利点がある。
【００３４】
なお、フレキシブル支持部４００は、好ましくは、図６に示すように、装着状態の側面視において、直線状の姿勢から機器接続部２５０Ｒを基点とする上下方向の±１０度の湾曲変形領域内に、使用者の眼球中心Ｅｏが位置するように配置し、より好ましくは、図４（ａ）に示したように、直線状の姿勢にある状態でほぼ眼球中心Ｅｏと重なるように配置する。このように、フレキシブル支持部４００の可動範囲内に、眼球中心Ｅｏが入るようにフレキシブル支持部４００を配置することで、フレキシブル支持部４００が直線状の姿勢にあるときに、光軸が眼球Ｅとずれてケラレを生じたとしても、微少な可動で光軸を眼球Ｅに一致させることができ、装着時の調整を素早くできる。
【００３５】
また、図４（ｂ）において、使用者の正面視方向における眼球中心Ｅｏから接眼光学系３００ａまでの距離ｄ１と、眼球中心Ｅｏから機器接続部２５０Ｒまでの距離ｄ２とは、同程度とするのが好ましい。ここで、ｄ１は、例えば、２５ｍｍ〜４０ｍｍ程度であり、フレキシブル支持部４００の先端と接眼光学系３００ａまでの正面視方向における距離ｄ３は、例えば、１０ｍｍ〜２０ｍｍ程度である。したがって、フレキシブル支持部４００の長さＬは、３０ｍｍ〜７０ｍｍ程度であるのが好ましい。これにより、Ｌが短過ぎて、可動範囲が狭く、表示装置３００を調整したい位置に調整できなかったり、また、Ｌが長過ぎて、表示装置３００を所望の位置に安定して保持できなくなったり、可動範囲が広すぎて適切な位置に調整するのが難しくなったりするのを防止でき、表示装置３００を所望の位置に容易に調整でき、かつ、安定して保持することが可能となる。
【００３６】
以上、フレキシブル支持部４００を、主として右側の機器接続部２５０Ｒに装着する場合について説明したが、フレキシブル支持部４００は、左側の機器接続部２５０Ｌに装着することもできる。この場合は、フレキシブル支持部４００を上下対称構造とし、左側の機器接続部２５０Ｌに装着する場合は、右側の保持部１５０Ｒに装着する場合とは、フレキシブル支持部４００の上下を反転させることで、同様にして行うことができる。これにより、図７（ａ）に示す右側の機器接続部２５０Ｒへの装着と、図７（ｂ）に示す左側の機器接続部２５０Ｌへの装着との左右の交換装着を容易に行うことが可能となり、左右の装着において同様の作用効果が得られる。なお、このようにフレキシブル支持部４００を左右の機器接続部２５０Ｌ，２５０Ｒに選択的に装着可能とする場合は、フレキシブル支持部４００によって支持される表示装置３００も、上下対称形状とするのが外観上好ましい。
【００３７】
また、ウェアラブル機器は、表示装置３００に限らず、図８（ａ），（ｂ）に側面視及び上面視を示すように、カメラ等の撮像装置３０１であっても、上述したと同様にして、フレキシブル支持部４００を介して機器接続部２５０Ｒ又は２５０Ｒに選択的に装着することができる。この場合、図８（ａ）に示すように、フレキシブル支持部４００の直線状態における側面視において、フレキシブル支持部４００が使用者の眼球中心Ｅｏとほぼ重なると、使用者の目線に近い映像を撮影することが可能となる。また、撮像装置３０１の位置を上下左右方向に調整することにより、任意の目線方向での映像を撮影することが可能となる。しかも、フレキシブル支持部４００が直線状態において、テンプル部１２０Ｒの延在方向に対して前下がりに傾斜しているので、撮像装置３０１の位置調整の際、撮像装置３０１やフレキシブル支持部４００のテンプル部１２０Ｒへの干渉を軽減することが可能となる。
【００３８】
（第２実施の形態）
図９〜図１５は、本発明の第２実施の形態に係るウェアラブル機器の支持構造を示すものである。本実施の形態に係る支持構造は、図９に斜視図を示すように、支持フレーム１０１と取付部材２００とを有している。支持フレーム１０１は、第１実施の形態の場合と同様に、眼鏡フレーム形状からなるもので、フロント部１１０と、左右のテンプル部１２０Ｌ，１２０Ｒと、左右のモダン部１３０Ｌ，１３０Ｒとを有し、フロント部１１０に、左右の眼鏡レンズ１４０Ｌ，１４０Ｒが装着される。
【００３９】
本実施の形態に係る支持構造においては、左右のテンプル部１２０Ｌ，１２０Ｒのモダン部１３０Ｌ，１３０Ｒ側に、左右の保持部１５０Ｌ，１５０Ｒが設けられており、これら左右の保持部１５０Ｌ，１５０Ｒに、取付部材２００が着脱自在に装着される。図９は、右側の保持部１５０Ｒに、取付部材２００を装着する場合を例示している。
【００４０】
以下、各部の構成について、更に詳細に説明する。
【００４１】
支持フレーム１０１の左右の保持部１５０Ｌ，１５０Ｒは、同様に構成される。以下、右側の保持部１５０Ｒに関して説明し、左側の保持部１５０Ｒに関しては、詳細な説明を省略する。図１０（ａ）及び（ｂ）は、保持部１５０Ｒの構成を示す側面図で、図１０（ａ）は取付部材２００の装着状態を示し、図１０（ｂ）は取付部材２００を取り外した状態を示している。
【００４２】
保持部１５０Ｒは、前方側が開口したＶ字形状からなっている。この保持部１５０ＲのＶ字形状の一方の辺は、テンプル部１２０Ｒからなり、他方の辺は、テンプル部１２０Ｒの延在方向に対して前下がりに傾斜して突出する傾斜片１５１Ｒからなる。そして、少なくとも傾斜片１５１Ｒは、テンプル部１２０Ｒから離れる方向に弾性変形可能となっている。
【００４３】
また、保持部１５０Ｒのテンプル部１２０Ｒ側には、保持部１５０Ｒからの取付部材２００の脱落を防止するため、好ましくは保持部１５０Ｒの前方側に、傾斜片１５１Ｒ側に突出して突部１５２Ｒが形成されているとともに、保持部１５０Ｒの前方端部に取付部材２００の係止部１５３Ｒが形成されている。なお、保持部１５０Ｒを構成する部分のテンプル部１２０Ｒ及び傾斜片１５１Ｒは、水平方向の寸法（厚み）がほぼ同じに形成されている。
【００４４】
図１１（ａ），（ｂ）及び（ｃ）は、取付部材２００の構成を示す図で、図１１（ａ）は正面図、図１１（ｂ）は上面図、図１１（ｃ）は右側面図である。取付部材２００は、線対称形状からなり、左右の保持部１５０Ｌ，１５０Ｒに選択的に装着可能である。以下、主として右側の保持部１５０Ｒに装着される場合について説明し、左側の保持部１５０Ｒに装着される場合に関しては、適宜、説明を省略する。
【００４５】
取付部材２００は、線対称形状の対称軸Ｓａがテンプル部１２０Ｒの延在方向に対して前下がりに傾斜して、保持部１５０Ｒに着脱自在に装着される。本実施の形態では、保持部１５０ＲがＶ字形状を有しているので、取付部材２００は、保持部１５０Ｒへの装着状態における側面視において、対称軸Ｓａと直交する方向の寸法が、後方が小さく、前方が大きくなる楔形状からなる。
【００４６】
取付部材２００には、図１１（ｂ）及び（ｃ）に示すように、上面及び下面に、保持部１５０Ｒに係合可能な、ほぼ同じ深さ及び幅を有する係合溝２１１が左右端に連通して形成されている。また、上面の係合溝２１１には、図１１（ｂ）に示すように、保持部１５０Ｒの突部１５２Ｒに嵌合可能な凹部２１２が形成されている。なお、図示しないが、下面の係合溝２１１にも、同様に、左側の保持部１５０Ｌの突部１５２Ｌ（図１参照）に嵌合可能な凹部が形成されている。
【００４７】
また、取付部材２００には、楔形状の大寸法部側に、保持部１５０Ｒへの装着状態において、テンプル部１２０Ｒの係止部１５３Ｒに係合する係止辺２１３Ｒが形成されているとともに、保持部１５０Ｌへの装着状態において、テンプル部１２０Ｌの係止部１５３Ｌ（図１５（ｂ）参照）に係合する係止辺２１３Ｌが形成されている。
【００４８】
更に、取付部材２００には、図１１（ｃ）に示すように、楔形状の大寸法部側の端面に、図１１（ａ）に示す正面視において対称軸Ｓａと重なり、保持部１５０Ｒへの装着状態でテンプル部１２０Ｒと重なりを持つように、機器接続部２５０が形成されている。機器接続部２５０は、例えば、対称軸Ｓａに沿って穿設された穴部からなり、この穴部に第１実施の形態で説明したようなウェアラブル機器の棒状のフレキシブル支持部４００が挿入固定されて、ウェアラブル機器が取付部材２００に接続される。
【００４９】
上述したように、本実施の形態に係るウェアラブル機器の支持構造は、眼鏡フレーム形状の支持フレーム１０１の左右のテンプル部１２０Ｌ，１２０Ｒに、それぞれ前方に開口したＶ字形状の保持部１５０Ｌ，１５０Ｒを有している。そして、ウェアラブル機器が接続される取付部材２００は、Ｖ字形状と相似の上下対称の楔形状からなり、保持部１５０Ｌ，１５０Ｒに着脱自在に装着される。
【００５０】
ここで、取付部材２００を保持部１５０Ｒに装着する場合は、傾斜片１５１Ｒの弾性力に抗して、取付部材２００を前方側から後方側に向けて保持部１５０Ｒに挿入する。これにより、取付部材２００の上面に形成された係合溝２１１を保持部１５０Ｒのテンプル部１２０Ｒに係合させ、下面の係合溝２１１を傾斜片１５１Ｒに係合させる。また、テンプル部１２０Ｒに形成された突部１５２Ｒを、取付部材２００の上面の係合溝２１１に形成された凹部２１２に嵌め込み、取付部材２００の係止辺２１３Ｒをテンプル部１２０Ｒの係止部１５３Ｒに係止させる。これにより、取付部材２００を保持部１５０Ｒに容易に装着することが可能となる。
【００５１】
また、支持フレーム１０１が眼鏡フレーム形状からなる場合は、耳に掛け易いように、一般に、テンプル部１２０Ｌ，１２０Ｒは、モダン部１３０Ｌ，１３０Ｒ側が細く形成される。本実施の形態においては、保持部１５０Ｌ，１５０Ｒが、テンプル部１２０Ｌ，１２０Ｒのモダン部１３０Ｌ，１３０Ｒ側に設けられている。そして、取付部材２００は、テンプル部１２０Ｌ，１２０ＲのＶ字形状に整合するように楔形状からなり、その寸法の小さい部分（小寸法部）がテンプル部１２０Ｌ，１２０Ｒの後方に、寸法の大きい部分（大寸法部）がテンプル部１２０Ｌ，１２０Ｒの前方に位置して装着される。したがって、支持フレーム１０１への取付部材２００の収まりがよく、支持フレーム１０１の外観の悪化が抑えられる。また、取付部材２００の大寸法部側の端面に、ウェアラブル機器の機器接続部２５０が形成されているので、ウェアラブル機器の接続も容易になる。
【００５２】
また、取付部材２００は、コンパクトでありながら支持フレーム１０１との接地面を大きく取れる。したがって、保持部１５０Ｌ，１５０Ｒがモダン部１３０Ｌ，１３０Ｒ側に設けられていることと相俟って、支持フレーム１０１の頭部への装着状態において、取付部材２００の一部を支持フレーム１０１と側頭部との間に挟持できるので、取付部材２００を保持部１５０Ｒに脱落することなく確実に装着でき、コンパクトで一体的な外観デザインが実現される。なお、取付部材２００は、予めウェアラブル機器が接続されたものを保持部１５０Ｌ，１５０Ｒに装着することも可能である。
【００５３】
また、取付部材２００を保持部１５０Ｒから取り外す場合は、傾斜片１５１Ｒを弾性力に抗して下方に回動させて、テンプル部１２０Ｒの突部１５２Ｒを、係合溝２１１の凹部２１２から外し、その後、取付部材２００を前方側に移動させることにより、容易に取り外すことができる。
【００５４】
また、取付部材２００は、例えば、保持部１５０Ｒに装着された場合、線対称形状の対称軸Ｓａがテンプル部１２０Ｒの延在方向に対して前下がりに傾斜する。これにより、テンプル部１２０Ｒと機器接続部２５０の高さを異なる位置にすることができるので、当該機器接続部２５０に、上述した棒状のフレキシブル支持部４００を介してウェアラブル機器が接続された場合、ウェアラブル機器をテンプル部１２０Ｒに干渉することなく、左右または上下に位置調整することが可能となる。
【００５５】
ここで、取付部材２００は、図１２に示すように、例えば保持部１５０Ｒへの装着状態における側面視において、対称軸Ｓａの延長線上に使用者（装着者）の眼球Ｅのほぼ中心（眼球中心）Ｅｏが重なるのが好ましい。このようにすれば、例えば、図１３（ａ）に側面図を示すように、ウェアラブル機器として表示装置３００が棒状のフレキシブル支持部４００を介して対称軸Ｓａに沿って接続された場合、フレキシブル支持部４００の直線状態における表示装置の光軸の眼球Ｅに対する角度は、取付部材２００の対称軸Ｓａの傾きと一致する。これにより、表示装置３００による虚像の表示位置が正面方向よりもやや下方に設定されて、表示装置３００による映像が表示されるので、長時間の観察でも見やすく、疲れにくい表示映像を提示することが可能となる。
【００５６】
また、取付部材２００の機器接続部２５０は、例えば保持部１５０Ｒへの装着状態での上面視において、図１３（ｂ）に示すように、テンプル部１２０Ｒと重なりを持つように位置する。したがって、テンプル部１２０Ｒから外側への取付部材２００及びフレキシブル支持部４００の張り出しを小さくできるので、外観上好ましい。また、機器接続部２５０及びフレキシブル支持部４００がテンプル部１２０Ｒの下側に位置していることから、第１実施の形態の場合と同様の効果が得られる。
【００５７】
また、図１４（ａ）及び（ｂ）に示すように、ウェアラブル機器がカメラ等の撮像装置３０１からなる場合、図１４（ａ）に示すように、対称軸Ｓａの延長線上に使用者の眼球中心Ｅｏがほぼ重なると、フレキシブル支持部４００の直線状態における撮像装置３０１の中心線と対称軸Ｓａとがほぼ一致する。これにより、図８（ａ），（ｂ）において説明したと同様の作用効果が得られる。
【００５８】
以上、取付部材２００を、主として右側の保持部１５０Ｒに対して着脱する場合について説明したが、取付部材２００を左側の保持部１５０Ｌに対して着脱する場合は、右側の保持部１５０Ｒに対する着脱の場合とは、取付部材２００の上下を反転させることで、同様にして行うことができる。これにより、図１５（ａ）に示す右側の保持部１５０Ｒへの装着と、図１５（ｂ）に示す左側の保持部１５０Ｌへの装着との左右の交換装着を容易に行うことが可能となり、左右の装着において同様の作用効果が得られる。なお、この場合は、ウェアラブル機器やフレキシブル支持部４００は、図７（ａ），（ｂ）の場合と同様に、上下対称形状とするのが外観上好ましい。
【００５９】
また、上述したように、支持フレーム１０１は、左右の保持部１５０Ｌ，１５０Ｒを有するので、例えば、保持部１５０Ｌ，１５０Ｒの双方に取付部材２００を装着し、ウェアラブル機器の使用時にのみ、少なくとも一方の取付部材２００にウェアラブル機器を取り付けることも可能である。これにより、ウェアラブル機器の未使用時及び使用時の支持フレーム１０１の外観を好ましい形状とすることが可能となる。
【００６０】
（第３実施の形態）
図１６及び図１７は、本発明の第３実施の形態に係るウェアラブル機器の支持構造を示すものである。以下、第２実施の形態と同一作用を成す構成要素には、同一参照符号を付して説明する。本実施の形態に係る支持構造は、支持フレーム１０２の保持部１５０Ｌ，１５０Ｒに対して取付部材２０１を着脱自在に懸架して装着可能としたものである。
【００６１】
図１６（ａ）及び（ｂ）は、支持構造の要部を示す側面図で、図１６（ａ）は取付部材２０１の装着状態を示し、図１６（ｂ）は取付部材２０１を取り外した状態を示している。保持部１５０Ｒは、取付部材２０１が着脱自在に懸架される懸架部１６０Ｒを有している。懸架部１６０Ｒは、テンプル部１２０Ｒの上面の一部を段差状（凹状）に切り欠いた形状に形成されており、取付部材２０１が装着された状態で、取付部材２０１の上面とテンプル部１２０Ｒの上面とがほぼ同一面となるように形成されている。図示しないが、左側の保持部１５０Ｌも同様に構成される。
【００６２】
図１７（ａ），（ｂ）及び（ｃ）は、取付部材２０１の構成を示す図で、図１７（ａ）は正面図、図１７（ｂ）は上面図、図１７（ｃ）は右側面図である。取付部材２０１は、第２実施の形態と同様、図１７（ａ）の正面視において、対称軸Ｓａを有する上下対称の楔形状からなり、その大寸法部側の端面に、ウェアラブル機器を支持する上述したフレキシブル支持部が接続される機器接続部２５０が形成されている。そして、取付部材２０１の背面側の上部及び下部に、それぞれ左右端に連通する凹部を有し、保持部１５０Ｒ，１５０Ｌの懸架部１６０Ｒ，１６０Ｌ（図示せず）に着脱自在に懸架されるフック部２２０Ｒ，２２０Ｌが形成されている。
【００６３】
そして、取付部材２０１を保持部１５０Ｒに装着する場合は、図１７において、上部のフック部２２０Ｒを保持部１５０Ｒの懸架部１６０に懸架し、保持部１５０Ｌ（図９参照）に装着する場合は、下部のフック部２２０Ｌを上下反転させて、保持部１５０Ｌの懸架部１６０Ｌ（図示せず）に懸架する。これにより、取付部材２０１を、例えば図１６（ａ）に示すように、対称軸Ｓａがテンプル部１２０Ｒの延在方向に対して前下がりに傾斜して保持部１５０Ｒに装着することができる。したがって、この取付部材２０１の機器接続部２５０に接続されるフレキシブル支持部も、直線状態において、軸線が対称軸Ｓａと一致して、テンプル部１２０Ｒの延在方向に対して前下がりに傾斜して位置することになる。
【００６４】
本実施の形態においては、取付部材２０１の背面側に、保持部１５０Ｌ，１５０Ｒへのフック部２２０Ｌ，２２０Ｒが設けられるため、例えば保持部１５０Ｌへの装着状態の上面視において、テンプル部１２０Ｒと機器接続部２５０とが重ならない。そのため、機器接続部２５０に接続されるウェアラブル機器が外側に若干突出することになる。しかし、その点を除けば、第２実施の形態と同様の効果が得られる。特に、本実施の形態に係る支持構造は、取付部材２０１を保持部１５０Ｌまたは１５０Ｒに懸架して、つまり引っ掛けて装着するので、着脱がより容易になり、左右の交換装着も容易になる。また、支持フレーム１０２の保持部１５０Ｌ，１５０Ｒを簡単に形成できる利点もある。なお、フック部２２０Ｌ，２２０Ｒは、弾性変形可能に構成して、対応する保持部の懸架部を弾性的に挟持して装着するようにしてもよい。
【００６５】
（第４実施の形態）
図１８〜図２０は、本発明の第４実施の形態に係るウェアラブル機器の支持構造を示すものである。以下、第２実施の形態と同一作用を成す構成要素には、同一参照符号を付して説明する。図１８（ａ）及び（ｂ）は、支持構造の要部を示す側面図で、図１８（ａ）は取付部材２０２の装着状態を示し、図１８（ｂ）は取付部材２０２を取り外した状態を示している。本実施の形態に係る取付構造は、支持フレーム１０３の保持部１５０Ｒに、図１８（ｂ）に部分拡大斜視図をも示すように、テンプル部１２０Ｒの外側に設けられた円柱部材１７０Ｒを有する。円柱部材１７０Ｒは、その軸線方向がテンプル部１２０Ｒの延在方向に対して前下がりに傾斜している。図示しないが、左側の保持部１５０Ｌも同様に構成される。
【００６６】
図１９（ａ）〜（ｄ）は、取付部材２０２の構成を示す図で、図１９（ａ）は正面図、図１９（ｂ）は上面図、図１９（ｃ）は左側面図、図１９（ｄ）は右側面図である。取付部材２０２は、保持部１５０Ｒの円柱部材１７０Ｒに嵌合する嵌合部２３０と、取付部材２０２の前方端部に位置し、ウェアラブル機器を支持する上述したフレキシブル支持部が接続される機器接続部２５０とを有し、図１９（ａ）の正面視において、対称軸Ｓａに関して上下対称形状からなる。なお、機器接続部２５０は、図２０に示すように、円柱部材１７０Ｒへの取付部材２０２の装着状態における上面視において、テンプル部１２０Ｒと重なりを持つように設けられる。
【００６７】
そして、取付部材２０２を保持部１５０Ｒに装着する場合は、取付部材２０２を円柱部材１７０Ｒに対して軸線方向の後方にスライドさせて、嵌合部２３０を円柱部材１７０Ｒに嵌合させる。これにより、取付部材２０２を保持部１５０Ｒに容易に装着することができ、その装着状態の側面視において、取付部材２０２は、対称軸Ｓａが円柱部材１７０Ｒの軸線と一致して、テンプル部１２０Ｒの延在方向に対して前下がりに傾斜した状態となる。したがって、この取付部材２０２の機器接続部２５０に接続されるフレキシブル支持部も、直線状態において、軸線が対称軸Ｓａと一致して、テンプル部１２０Ｒの延在方向に対して前下がりに傾斜して位置することになる。また、機器接続部２５０は、上面視において、図２０に示すように、テンプル部１２０Ｒと重なりを持つように位置することになる。したがって、第２実施の形態と同様の効果が得られる。
【００６８】
また、取付部材２０２を保持部１５０Ｒから取り外す場合は、取付部材２０２を円柱部材１７０Ｒに対して軸線方向に前方にスライドさせて、円柱部材１７０Ｒに対する嵌合部２３０の嵌合を解除する。これにより、取付部材２０２を保持部１５０Ｒから容易に取り外すことができる。また、取付部材２０２を保持部１５０Ｌ（図９参照）に対して着脱する場合は、取付部材２０２の上下を反転させて、同様にして行うことができる。したがって、取付部材２０２の左右の交換装着も容易にできる。なお、取付部材２０２の嵌合部２３０は、保持部の円柱部材に弾性的に嵌合させて装着するようにしてもよい。
【００６９】
（第５実施の形態）
図２１〜図２３は、本発明の第５実施の形態に係るウェアラブル機器の支持構造を示すものである。以下、第２実施の形態と同一作用を成す構成要素には、同一参照符号を付して説明する。図２１（ａ）及び（ｂ）は、支持構造の要部を示す側面図で、図２１（ａ）は取付部材２０３の装着状態を示し、図２１（ｂ）は取付部材２０３を取り外した状態を示している。本実施の形態に係る取付構造は、支持フレーム１０４の保持部１５０Ｒに、図２１（ｂ）に部分拡大斜視図をも示すように、テンプル部１２０Ｒに前方に開口して形成されたスリット１８０Ｒを有する。スリット１８０Ｒは、その延在方向がテンプル部１２０Ｒの延在方向に対して前下がりに傾斜している。図示しないが、左側の保持部１５０Ｌも同様に構成される。
【００７０】
図２２（ａ）〜（ｄ）は、取付部材２０３の構成を示す図で、図２２（ａ）は正面図、図２２（ｂ）は上面図、図２２（ｃ）は左側面図、図２２（ｄ）は右側面図である。取付部材２０３は、図２２（ａ）の正面視において、対称軸Ｓａに関して上下対称の楔形状からなる。また、取付部材２０３は、テンプル部１２０Ｒを外側及び内側から挟むように、図２２（ｂ）の上面視において、対称軸Ｓｂに関して前後対称、つまり、支持フレーム１０１への装着状態（使用状態）において左右対称の楔形状からなる。そして、図２２（ｂ）に示すように、楔形状の小寸法部には、テンプル部１２０Ｒを挟み込む空隙部２４０が形成され、楔形状の大寸法部の中央部には、ウェアラブル機器を支持する上述したフレキシブル支持部が接続される機器接続部２５０が形成されている。また、空隙部２４０と機器接続部２５０との間の上下左右の中央部には、対称軸Ｓａ及びＳｂに沿って、保持部１５０Ｒのスリット１８０Ｒに嵌入する嵌入部２４１が形成されている。
【００７１】
そして、取付部材２０３を保持部１５０Ｒに装着する場合は、空隙部２４０に保持部１５０Ｒのテンプル部１２０Ｒを入り込ませた状態で、取付部材２０３をスリット１８０Ｒの延在方向の後方にスライドさせて、嵌入部２４１をスリット１８０Ｒに嵌入させる。これにより、取付部材２０３を保持部１５０Ｒに容易に装着することができる。なお、この際、テンプル部１２０Ｒのスリット１８０Ｒを構成する下側の辺を、図１０（ｂ）のＶ字形状を形成する傾斜片１５１Ｒと同様に、テンプル部１２０Ｒから離れる方向に弾性変形可能として、嵌入部２４１をスリット１８０Ｒにおいて弾性的に挟持されるように構成してもよい。あるいは、空隙部２４０において、保持部１５０Ｒのテンプル部１２０Ｒを弾性的に挟持するように取付部材２０３を構成してもよい。
【００７２】
取付部材２０３は、保持部１５０Ｒへの装着により、側面視において、対称軸Ｓａがスリット１８０Ｒの延在方向と一致して、テンプル部１２０Ｒの延在方向に対して前下がりに傾斜した状態となる。したがって、この取付部材２０３の機器接続部２５０に接続されるフレキシブル支持部も、直線状態において、軸線が対称軸Ｓａと一致して、テンプル部１２０Ｒの延在方向に対して前下がりに傾斜して位置することになる。また、取付部材２０３は、上面視において、図２３に示すように、テンプル部１２０Ｒと対称軸Ｓｂとが重なって、テンプル部１２０Ｒに対して左右対称に保持部１５０Ｒに装着され、機器接続部２５０がテンプル部１２０Ｒと重なりを持つように位置することになる。したがって、第２実施の形態の場合と同様の効果が得られる。
【００７３】
また、取付部材２０３を保持部１５０Ｒから取り外す場合は、取付部材２０３をスリット１８０Ｒに対して、その延在方向に前方にスライドさせてスリット１８０Ｒから嵌入部２４１を抜き出すことにより、取付部材２０３を保持部１５０Ｒから容易に取り外すことができる。また、取付部材２０３を保持部１５０Ｌ（図９参照）に対して着脱する場合は、取付部材２０３に接続されるウェアラブル機器に応じて、取付部材２０３の上下を反転させて、あるいは、反転させることなく、同様にして行うことができ、取付部材２０３の左右の交換装着も容易にできる。
【００７４】
すなわち、本実施の形態においては、取付部材２０３が上下左右に対称形状となっている。したがって、例えば、ウェアラブル機器が左右対称形状の場合は、取付部材２０３を上下反転することなく、他方の保持部に装着することが可能となる。これにより、ウェアラブル機器が、例えば、図１４（ａ）及び（ｂ）に示したようにカメラ等の撮像装置３０１からなる場合は、撮影した映像を反転することなく利用することが可能となる。
【００７５】
なお、本発明は、上記実施の形態にのみ限定されるものではなく、幾多の変形または変更が可能である。例えば、支持フレームは、眼鏡フレーム形状に限らず、頭部への装着状態において左右の側頭部側に位置する左右のテンプル部を有する形状であれば、ヘッドセットタイプやゴーグルタイプ等の形状であってもよい。また、機器接続部は、テンプル部の下側に限らず、上側に設けてもよい。したがって、第２〜５実施の形態のように、機器接続部を有する取付部材を、テンプル部の保持部に着脱自在に装着する支持構造においては、保持部をテンプル部の上側に設けてもよい。
【符号の説明】
【００７６】
１００，１０１，１０２，１０３，１０４  支持フレーム
１２０Ｌ，１２０Ｒ  テンプル部
１５０Ｌ，１５０Ｒ  保持部
１５１Ｌ，１５１Ｒ  傾斜片
１５２Ｌ，１５２Ｒ  突部
１５３Ｌ，１５３Ｒ  係止部
１６０Ｒ  懸架部
１７０Ｒ  円柱部材
１８０Ｒ  スリット
２００，２０１，２０２，２０３  取付部材
２１１  係合溝
２１２  凹部
２１３Ｌ，２１３Ｒ  係止辺
２２０Ｌ，２２０Ｒ  フック部
２３０  嵌合部
２４０  空隙部
２４１  嵌入部
２５０Ｌ，２５０Ｒ，２５０  機器接続部
３００  表示装置
３０１  撮像装置
４００  フレキシブル支持部
４１１  芯線
４１２  樹脂素材
４２１，４２２  金属線
Ｓａ，Ｓｂ  対称軸
Ｅ  眼球
【図１】
0005904756.tif 000002
【図２】
0005904756.tif 000003
【図３】
0005904756.tif 000004
【図４】
0005904756.tif 000005
【図５】
0005904756.tif 000006
【図６】
0005904756.tif 000007
【図７】
0005904756.tif 000008
【図８】
0005904756.tif 000009
【図９】
0005904756.tif 000010
【図１０】
0005904756.tif 000011
【図１１】
0005904756.tif 000012
【図１２】
0005904756.tif 000013
【図１３】
0005904756.tif 000014
【図１４】
0005904756.tif 000015
【図１５】
0005904756.tif 000016
【図１６】
0005904756.tif 000017
【図１７】
0005904756.tif 000018
【図１８】
0005904756.tif 000019
【図１９】
0005904756.tif 000020
【図２０】
0005904756.tif 000021
【図２１】
0005904756.tif 000022
【図２２】
0005904756.tif 000023
【図２３】
0005904756.tif 000024